(57)【特許請求の範囲】
【請求項１】
自動車のデッキルームの側面のパネルをカバーするトリムの複数個所に形成されたフック取付け穴に、脱着式に設けられる自動車のデッキルーム用脱着式フックであって、
ヘッドの背後から突出する円筒状の軸部の直径を段差状に小さくする先端小径部にねじ山を形成されたボルトと、前記ヘッドを包囲する筒状基部に、前記ヘッドの正面に対面する通常位置からほぼ直交方向の使用位置へ回動可能に枢着されるプレート状フック本体とを備え、
前記筒状基部は、前記ヘッドの前記ボルト先端部側で前記軸部を挿入させるよう内径が段差状に小さくなったボルト挿通部を形成することにより、前記ヘッドで抜け止めされた状態で前記軸部に回転自在に支持され、
前記フック本体に、かぎ状引掛け具を係止する係止穴と、前記フック本体に掛けられた線状体の滑落を拘束するストッパとが形成され、
前記フック取付け穴の底面には、前記ボルト挿通部を挿通させるボルト挿通孔が形成されると共に、このボルト挿通孔に対面する前記パネル領域に、前記先端小径部を挿通させ、かつ前記軸部の前記直径よりも小さな穴径のボルト挿通孔が形成され、このボルト挿通孔の裏側周辺に前記ねじ山を螺合させるナットが固定され、
前記軸部の前記フック取付け穴への前後方向の挿入位置が前記パネル領域の前記ボルト挿通孔の周辺で規制されて前記ねじ山が前記ナットに螺合した状態で、前記筒状基部が、前記ヘッドの背面及び前記底面のボルト挿通孔の周辺間で回転可能に前後方向位置を規制され、さらに通常位置に在る前記フック本体がその周囲の前記トリムとほぼ同一面状になることを特徴とする自動車のデッキルーム用脱着式フック。
【発明の詳細な説明】
【０００１】
【発明の属する技術分野】
本発明は、紐、かぎ状の引掛け具等を係止するための自動車のデッキルーム用脱着式フックに関するものである。
【０００２】
【従来の技術】
自動車のデッキルームの側面には、買い物袋の紐、ネットの引掛け具等を係止するフックを設けることが種々行われている。
【０００３】
【発明が解決しようとする課題】
しかしながら、これらのフックはデッキルーム側面に突設されるのが通常であり、複数個用意する場合には対応して複数個所で突出することになり、不使用時に見栄えが良くなく、邪魔にもなる。
【０００４】
本発明は、このような点に鑑みて、不使用時には取付面から突出せず、また簡単に取り外すこともできる自動車のデッキルーム用脱着式フックを提供することを目的とする。
【０００５】
【課題を解決するための手段】
本発明は、この目的を達成するために、請求項１により、自動車のデッキルームの側面のパネル（１）をカバーするトリム（２）の複数個所に形成されたフック取付け穴（３）に、脱着式に設けられる自動車のデッキルーム用脱着式フックであって、ヘッド（１１）の背後から突出する円筒状の軸部（１３）の直径を段差状に小さくする先端小径部にねじ山（１５）を形成されたボルト（１０）と、ヘッド（１１）を包囲する筒状基部（２１）に、ヘッド（１１）の正面に対面する通常位置からほぼ直交方向の使用位置へ回動可能に枢着されるプレート状フック本体（２０）とを備え、筒状基部（２１）は、ヘッド（１１）のボルト先端部側で軸部（１３）を挿入させるよう内径が段差状に小さくなったボルト挿通部（２１ｂ）を形成することにより、ヘッド（１１）で抜け止めされた状態で軸部（１３）に回転自在に支持され、フック本体（２０）に、かぎ状引掛け具（５）を係止する係止穴（２６）と、フック本体（２０）に掛けられた線状体（６）の滑落を拘束するストッパ（２７）とが形成され、フック取付け穴（３）の底面（３ｂ）には、ボルト挿通部（２１ｂ）を挿通させるボルト挿通孔（３ａ）が形成されると共に、このボルト挿通孔に対面するパネル（１）領域に、先端小径部を挿通させ、かつ軸部（１３）の直径よりも小さな穴径のボルト挿通孔（１ａ）が形成され、このボルト挿通孔の裏側周辺にねじ山（１５）を螺合させるナット（１９）が固定され、軸部（１３）のフック取付け穴（３）への前後方向の挿入位置がパネル（１）領域のボルト挿通孔（１ａ）の周辺で規制されてねじ山（１５）がナット（１９）に螺合した状態で、筒状基部（２１）が、ヘッド（１１）の背面（１１ｃ）及び底面（３ｂ）のボルト挿通孔（３ａ）の周辺間で回転可能に前後方向位置を規制され、さらに通常位置に在るフック本体（２０）がその周囲のトリム（２）とほぼ同一面状になることを特徴とする。
【０００６】
トリム（２）とほぼ同一面状のフック本体（２０）が、その基部（２１）でその内径の変化でヘッド（１１）により抜け止めされた状態でボルト（１０）に回転自在に支持される。フック本体（２０）を回動させてフック取付け穴（３）からほぼ水平の使用位置に突出させることにより、フック本体（２０）が使用可能となる。フック本体（２０）は係止物の方向に応じて回転する。不使用時にはフック本体（２０）を回動によりフック取付け穴（３）に戻すか、或は取り外すにはナット（１９）に螺合されているボルト（１０）と共に外す。
【０００７】
【発明の実施の形態】
図１乃至図３を基に本発明の実施の形態の一例による自動車のデッキルーム用脱着式フックを説明する。フック９は、所定の挿入位置に位置決めされるように、ヘッド１１の背後から突出する円筒状軸部１３に対して直径を段差状に小さく形成された先端小径部にねじ山１５を有するボルト１０と、このボルトに回転自在に支持される筒状基部２１に、対面する通常位置からほぼ直交する使用位置へ回動可能に枢着されたフック本体２０とを備えている。ヘッド１１はその奥に向けて徐々に外径が大きくなり、端部には同一外径の円周面１１ａを有し、正面１１ｂには回転工具に係合する多角形状の凹部１２が形成されている。
【０００８】
基部２１は、ヘッド１１を包囲するヘッド包囲部２１ａと、ヘッド１１の背後で円筒状軸部１３を挿通させるように、ヘッド包囲部２１ａよりも階段状に内径が小さくなったボルト挿通部２１ｂとを備えて筒状に形成されている。これらの内径の変化に伴い外径も変化したフランジ部２２ａ付の段差部２２の内側の段差面２２ｂがヘッド１１の背面１１ｃに対接して抜け止めされた状態で、フック本体２０はボルト１０に回転自在に支持される。
【０００９】
フック本体２０はプレート状であり、その円筒状に膨出された基端部２５が、基部２１の両側の基端突起部２３にピン２４を挿通されて枢着され、基部２１の正面、即ちヘッド正面１１ｂに対面する通常位置からほぼ直交する使用位置へ回動可能になっている。基端部２５には、使用位置で基端突起部２３の外周面で拘束される突起２５ａが形成されている。また、フック本体２０には、使用位置でかぎ状引掛け具を係止する係止穴２６が形成され、また掛けられた線状体の滑落を拘束するストッパとして機能する円弧状周辺部２７が形成されている。フック本体２０は、使用位置にピン２４を含めた枢着部分の摩擦係合で保持される。
【００１０】
このようなフック９をデッキルームの側面に取付けるために、フック取付け面であるトリム２には、フック取付け穴３が複数個所に形成されている。このフック本体２０及びその基部２１の円形外周に対応したほぼ円形に開口したフック取付け穴の底面３ｂには、ボルト挿通部２１ｂも挿通させ得る程度の大きさのボルト挿通孔３ａが形成され、対面するパネル１の領域には、円筒状軸部１３の直径よりも小さく、かつ前述の先端小径部を挿通させ得る穴径のボルト挿通孔１ａが形成され、その裏側周辺にナット１９が接合されている。ボルト１０の長さ寸法は、ボルト１０の軸部１３が前後方向の所定の挿入位置にボルト挿通孔１ａの周辺で位置決めされてナット１９に螺合させた状態で、通常位置に在るフック本体２０がその周囲のトリム２と同一面状になるように、パネル１及びトリム２間の離間距離に対応して設定されると共に、パネル１及び底面３ｂ間の距離は、段差面２２ｂがヘッド１１の背面１１ｃに、また外側の段差面２２ｃのリング状突起部２２ｄが底面３ｂを前後方向位置の規制状態で摺動してフック本体２０を回転させるように、底面３ｂ、即ちボルト挿通孔３ａの周辺及びヘッド１１の背面間に隙間を残すように設定されている。
【００１１】
フック９を使用する場合、フック本体２０を使用位置に回動させた状態でボルト１０を挿通させる。このボルトを所望のフック取付け穴３に挿入して、そのヘッド１１の凹部１２に回転工具に係合させて回転させて、ナット１９にねじ止めする。この状態で、フック本体２０は周面のトリム２から突出することなく同一面状となり、基部２１に支持されて回転可能となる。使用時には、図１の２点鎖線及び図３に示す使用位置に係止穴２６に指を掛けて回動させ、この係止穴に荷物をカバーするネットのかぎ５を引掛けたり、或は買い物袋の紐６を上方から引掛けて周辺部２７で滑落を防止しておく。さらに、かぎ５が前後或は上方に位置する場合には、図示の位置から対応する位置にフック本体２０を回転させる。
【００１２】
共用のフック９を別の場所で使用したい場合、ボルト１０を外して別のフック取付け穴３のナット１９にねじ止めする。当然、各フック取付け穴３にフック９に装着しておいても良い。
【００１３】
尚、ヘッド１１の凹部１２に代えて、場合により、ヘッドの外周を多角形状に形成したり、フック本体を通常位置のままにして回転工具を挿入させるように係止穴を相応に大きく形成することもできる。
【００１４】
【発明の効果】
本発明によれば、スペースが制限されるデッキルームに、ナット付のフック取付け穴を複数個所に用意しておくことにより、必要時にフック本体を任意の場所にボルト操作で脱着式に装着することが可能となる。フック本体は、回動式であるにより、不使用時にはトリム面から突出しないように、そのフック取付け穴に格納される。また、ストッパで線状体を引掛けるだけでなく、係止穴でかぎ状引掛け具を係止できると共に、回転式により係止方向も係止物に応じて自在に設定可能になる。
【図面の簡単な説明】
【図１】  本発明の実施の形態による脱着式フックのデッキルームへの取付け状態を説明する断面図である。
【図２】  同フックのボルトを説明するもので、同図Ａは側面図、同図Ｂは正面図である。
【図３】  同フックのフック本体使用状態での斜視図である。
【符号の説明】
１  パネル
１ａ、３ａ  ボルト挿通孔
２  トリム
３  フック取付け穴
３ｂ  フック取付け穴の底面
５  かぎ（かぎ状引掛け具）
６  紐（線状体）
９  フック
１０  ボルト
１１  ヘッド
１１ｂ  ヘッドの正面
１１ｃ  ヘッドの背面
１３  ボルトの軸部
１５  ボルトのねじ山
１９  ナット
２０  フック本体
２１  基部
２１ｂ  ボルト挿通部
２６  係止穴
２７  ストッパ用周辺部
【図１】
0003916800.tif 000002
【図２】
0003916800.tif 000003
【図３】
0003916800.tif 000004